(57)【要約】【課題】生体用電極に使用される導電性粘着剤（生体電極用ゲル）に苦味物質を添加して、小児や痴呆症の患者等が意識的または無意識に生体用電極を誤って口に入れた際に吐き出すことによって、誤飲または誤嚥を防止できる生体用電極を提供する。【解決手段】苦味物質を含有した導電性粘着剤と電子伝導性で外部への電気接続部を有する電極素子材料とからなる生体用電極。【選択図】 図２
2011010725.tif 000002
【特許請求の範囲】
【請求項１】
苦味物質を含有した導電性粘着剤と電子伝導性で外部への電気接続部を有する電極素子材料とからなる生体用電極。
【請求項２】
前記苦味物質は、安息香酸デナトニウムからなることを特徴とする請求項１に記載の生体用電極。
【発明の詳細な説明】
【技術分野】
【０００１】
本発明は、生体の体表面に装着され生体の電気現象を導出するための導電性粘着剤組成物を用いた生体用電極に関し、更に詳しくは、導電性粘着剤組成物に苦味物質を含有した生体用電極に関する。
【背景技術】
【０００２】
生体の体表面に装着され生体の電気現象を導出するための導電性粘着剤組成物を用いた生体用電極としては、以下のものが知られている。（特許文献１参照）
【０００３】
図４の従来の生体電極では、スナップ８４により被覆された開口部８３を有する非導電性被覆８２があり、また、鋲又はアイレット８５を含む電極端子が突出する。スナップ８４は、アイレット８５を被覆する様に固定され、電気計器との電気的連結を与える。アイレット８５は、導電性接着層８６と電気的に接続し、また、スナップ８４及び非導電性被覆８２は、本発明の導電性接着剤からなる接着層８６を完全に被覆している。剥離ライナー８８は、使用前の接着層８６を保護するためのものである。
【０００４】
生体用電極が生体電位を測定する場合、微弱な電気信号を効率良く取り出して心電計等に誘導するため、生体の一部に直接的に接触させることが必要となる。
しかし、生体の皮膚に生体用電極エレメントを接触させただけでは、生体用電極エレメントと生体との電気的な結合がされず、生体用電極エレメントと皮膚との不安定な接触により複雑な電位やインピーダンスが生じ、生体の電気信号を精度良く抽出し測定することができない。
そこで、従来の生体用電極には、導電性粘着剤（ゲル）を生体用電極エレメントと共に用いて生体と電極との電気的結合を図っている。
【先行技術文献】
【特許文献】
【０００５】
【特許文献１】特開２００１−１８１５９７号公報
【発明の概要】
【発明が解決しようとする課題】
【０００６】
従来の生体用電極は、生体用電極の導電用端子を測定装置に接続して使用するため、医者や看護師等の監視下で使用するのが普通で、小児や痴呆症等の対象者が単独で手にすることは生体用電極には設計思想にはなかった。そのため、従来の生体用電極には誤飲に対する対策はなされてはいなかった。
しかし、小型であるため小児や痴呆症の患者等が意識的または無意識で口に入れる誤飲が生じる可能性は僅かではあるが否定できない。
【０００７】
小児が生体用電極を誤飲した場合には、窒息等の事故になる。
また、病院等で生体用電極を装着して生体情報を収集中の痴呆症の患者が生体用電極を誤飲した場合には、生体情報の収集ができなくなると共に、誤飲した患者の不慮の事故が生じることもある。
【０００８】
本発明の課題（目的）は、生体用電極に使用される導電性粘着剤（生体電極用ゲル）に苦味物質を添加して、小児や痴呆症の患者等が意識的または無意識に生体用電極を誤って口に入れた際に反射的に吐き出すことによって、誤飲または誤嚥を防止できる生体用電極を提供することにある。
【課題を解決するための手段】
【０００９】
前記課題を解決するために、本発明の生体用電極は、苦味物質を含有した導電性粘着剤と電子伝導性で外部への電気接続部を有する電極素子材料とからなることを特徴とする。
また、前記苦味物質は、安息香酸デナトニウムからなることを特徴とする。
【発明の効果】
【００１０】
本発明の生体用電極によれば、苦味物質を含有した導電性粘着剤と電子伝導性で外部への電気接続部を有する電極素子材料とからなる構成であるので、小児や痴呆症の患者等が意識的または無意識に生体用電極を誤って口に入れた際に反射的に吐き出すことによって、誤飲または誤嚥を防止できる。
また、導電性粘着剤中に苦味物質を含有させているので、生体用電極として利用する際の導電性を損なうことがない。
【図面の簡単な説明】
【００１１】
【図１】本発明の生体用電極であって、環状のフォームテープ部材１の中心内側の穴２に導電性粘着剤組成物３を介在させた状態を背面から傾斜させた状態で見た斜視図である。
【図２】図１を傾斜させない状態で側面から見た中心断面図である。
【図３】本発明の図１、図２の生体用電極を表面１ａの方向から見た平面図である。
【図４】従来の生体用電極であって、その断面図である。
【発明を実施するための形態】
【００１２】
本発明の特徴は、導電性粘着剤（生体電極用ゲル）に苦味物質を添加して、小児や痴呆症の患者等が意識的または無意識に生体用電極を誤って口に入れた際に吐き出すことによって、誤飲または誤嚥を防止できる生体用電極を実現することにある。
【００１３】
図１は本発明の生体用電極を背面から見て傾斜させた状態の斜視図である。
図１において環状のフォームテープ部材１の両面が接着可能な表面１ａ，裏面１ｂに形成されている。
このフォームテープ部材１の中心には穴２が設けられ、この穴２には、苦味物質を含有する導電性粘着剤組成物３が介在され生体用電極を構成している。
図２は図１を傾斜させない状態で側面から見た中心断面図である。
図２において周囲の表面１ａ，裏面１ｂにより接着可能な環状のフォームテープ部材１が形成され、このフォームテープ部材１と同一径のシート状の非導電性支持部材４がフォームテープ部材１の裏面１ｂに貼り付けてある。非導電性支持部材４の中心付近に設けられた穿孔５からはＴ型の鍔６１を有する導電用ターミナル６が鍔６１を内側にしてシート状の非導電性支持部材４の外部にターミナル端子６２を突出させた状態で非導電性支持部材４と一体に固定されている。
【００１４】
図１に記載の本発明の生体用電極は前記環状のフォームテープ部材１の一方の裏面に前記導電用ターミナル６のターミナル端子６２を外部に突出させた状態で一体に接着してあるため、これら非導電性支持部材４と環状のフォームテープ部材１によって穴２が形成されるため、この穴２に苦味物質を含有する導電性粘着剤組成物３を介在させることにより生体用電極が形成される。
尚、生体との電気的接続はターミナル端子６２に図示しないリード線が接続され、このリード線を介して図示しない外部の心電計等との電気的な接続がなされる。
【００１５】
図３は図１、図２の生体用電極を表面１ａの方向から見た平面図で、図示の如く中心部分にはターミナル端子６のスタッドおよびアイレットが中心から突出して設けられている。
この従来の生体用電極においてＴ型の鍔６１は前記苦味物質を含有する導電性粘着剤組成物３が透明であるために電極の表面１ａの方向より視認できる。また導電用ターミナル６の表面はＡｇ／ＡｇＣｌでコーティングされ電気的導通が可能となっている。
【００１６】
導電性粘着剤組成物３に苦味物質を含有させる手段としては、導電性粘着剤組成物の製造に際して直接苦味物質を混入させることによって実現できる。
【００１７】
また、生体用電極の形状としては、図１〜３に記載の如き、環状のフォームテープ部材１の両面が接着可能な表面１ａ，裏面１ｂに形成し、このフォームテープ部材１の中心には穴２が設けられ、この穴２に導電性粘着剤組成物３が介在されたもの以外の形状であっても良いことは明らかである。
【００１８】
本発明に使用される苦味物質は、ゲラニオール、八アセチル化ショ糖、フェニルエチルアルコール、ブルシン、リナロール、ジエチルフタレート、リナノールアセテート、ベンジルアセテート、安息香酸デナトニウム、ジメトキストリキーネ及びカプサイシンから選ばれる少なくとも１種である。
この中でも、安息香酸デナトニウムが特に好ましい。
【実施例】
【００１９】
次に、本発明の苦味物質を含有した導電性粘着剤と電子伝導性で外部への電気接続部を有する電極素子材料とからなる生体用電極の１例は以下の手順で製造する。
（１）塩化カリウム１．７ｇを水２０ｇに溶解した溶液にダイアセトンアクリルアミド（協和発酵工業社製）３３．２ｇ、メトキシノナエチレングリコールアクリレート（新中村化学工業社製  商品名ＡＭ９０ＧにおいてR1=水素、R2＝メチル、ｎ＝９の化合物））３３．２ｇおよびプロピレングリコール１１ｇを加え、攪拌して均一な溶液とした。
（２）この溶液にさらにベンジルジメチルケタール（２，２−ジメトキシ−２−メチルアセトフェノン）の２０％エタノール溶液０．７５ｇを加え均一に溶解して前駆体溶液を作成した。
（３）前記前駆溶液に対して安息香酸デナトニウムを４００ppmの濃度になるように添加した。
（４）この前駆体溶液を水平に保持したシリコン処理したポリエステルフィルム上に置いた不織布に含浸せしめおよそ１ｍｍの厚さに流延し、窒素雰囲気下でブラックライトの紫外線を照射して重合硬化せしめ導電性粘着剤組成物を得た。
このものは皮膚に対して適度な粘着力を有していた。
（５）生体用電極は、図２の導電性粘着剤組成物３がない状態の穴２に前記前駆体溶液を注入し、窒素雰囲気中に保ちながら紫外線を照射し、硬化せしめて得た。
【００２０】
上記手順で製造した生体用電極を、試しに小児の口に入れたところ、小児は反射的に吐き出したので、誤飲または誤嚥を防止できる機能を確認できた。
【符号の説明】
【００２１】
１      フォームテープ部材
１ａ    表面
１ｂ    裏面
２      穴
３     苦味物質含有導電性粘着剤組成物
４      非導電性支持部材
５      穿孔
６      導電用ターミナル
【図１】
2011010725.tif 000003
【図２】
2011010725.tif 000004
【図３】
2011010725.tif 000005
【図４】
2011010725.tif 000006